(57)【要約】【課題】火災感知器が正常か否かを判定して通知可能なＰ型の防災システムを提供する。【解決手段】火災受信機１は、表示部１６と判定部１３とを有する。判定部１３は、第１制御部１４が試験信号を第１送信回路１１から送信させた時点から所定時間（１秒）が経過する時点までの判定期間内に、火災報を受信したか否かを判定する。複数の火災感知器２の各々は、第２記憶部２５と判断部２７とを有する。第２記憶部２５は、第２識別情報を保持する。第２制御部２４は、検知部２６が火災の発生を検知した場合、及び、第１識別情報が第２識別情報であると判断部２７が判断した場合、火災報を第２送信回路２１から送信させる。第１制御部１４は、判定部１３が判定期間内に火災報を受信していないと判定した場合、異常を通知する情報を表示部１６に表示させる。【選択図】図２
2017117358.tif 000002
【特許請求の範囲】
【請求項１】
一対の電線に接続された火災受信機と、
前記一対の電線に接続された複数の火災感知器と、
を備える防災システムであって、
前記火災受信機は、
前記一対の電線間に電圧を印加する印加部と、
前記一対の電線間の電圧を変化させて、第１識別情報を含む試験信号を送信する第１送信回路と、
火災報を受信する第１受信回路と、
表示部と、
前記第１送信回路、前記第１受信回路及び前記表示部をそれぞれ制御する第１制御部と、
前記第１制御部が前記試験信号を前記第１送信回路から送信させた時点から所定時間が経過する時点までの判定期間内に、前記火災報を受信したか否かを判定する判定部と、
を有し、
前記複数の火災感知器の各々は、
火災の発生を検知する検知部と、
前記一対の電線間の電圧を変化させて前記火災報を送信する第２送信回路と、
前記試験信号を受信する第２受信回路と、
前記検知部、前記第２送信回路及び前記第２受信回路を制御する第２制御部と、
第２識別情報を保持する記憶部と、
前記第２受信回路で受信した前記第１識別情報が前記第２識別情報と同じであるか否かを判断する判断部と、
を有し、
前記第２制御部は、前記検知部が火災の発生を検知した場合、及び、前記第１識別情報が前記第２識別情報であると前記判断部が判断した場合、前記火災報を前記第２送信回路から送信させ、
前記第１制御部は、前記判定部が前記判定期間内に前記火災報を受信していないと判定した場合、異常を通知する情報を表示部に表示させる
ことを特徴とする防災システム。
【請求項２】
前記第１制御部は、前記異常を通知する情報と、前記第１識別情報との両方を前記表示部に表示させる
ことを特徴とする請求項１に記載の防災システム。
【請求項３】
前記複数の火災感知器の各々は、前記検知部の異常を検出する異常検出部を更に備え、
前記第２制御部は、前記第１識別情報が前記第２識別情報であると前記判断部が判断し、かつ前記異常検出部が前記検知部の異常を検出した場合、前記火災報を前記第２送信回路から送信させない
ことを特徴とする請求項１又は２に記載の防災システム。
【請求項４】
前記火災受信機は、前記第１識別情報を複数保持する第１記憶部と、
前記複数の第１識別情報から１つの第１識別情報を順次選択する選択部と、
を更に備え、
前記第１制御部は、前記選択部が選択した前記１つの第１識別情報を含む前記試験信号を前記第１送信回路から送信させ、前記選択部が前記複数の第１識別情報を一巡するように前記１つの第１識別情報を選択するまで前記試験信号を前記第１送信回路から送信させる
ことを特徴とする請求項１〜３の何れか１項に記載の防災システム。
【請求項５】
前記第２送信回路は、前記一対の電線間の電圧を、第２電圧値以上第３電圧値未満にして前記火災報を送信し、前記一対の電線間の電圧を、第１電圧値以上前記第２電圧値未満にして連動報を送信し、
前記第１受信回路は、前記一対の電線に送信された前記火災報及び前記連動報を受信する
ことを特徴とする請求項１〜４の何れか１項に記載の防災システム。
【請求項６】
前記複数の火災感知器の各々は、前記一対の電線間の電圧を変化させて通信用信号を送信する伝送送信回路を更に備え、
前記第２制御部は、前記火災報が送信されている状態で前記試験信号に応答する情報を含む前記通信用信号を前記伝送送信回路から送信させ、
前記第１受信回路は、前記通信用信号を受信する
ことを特徴とする請求項１〜５の何れか１項に記載の防災システム。
【発明の詳細な説明】
【技術分野】
【０００１】
本発明は、防災システムに関する。
【背景技術】
【０００２】
従来、火災受信機より導出した感知器回線（一対の電線）に、火災感知器を接続して構成した、いわゆるＰ型（Proprietary-type）の自動火災報知システム（防災システム）が知られている（例えば特許文献１参照）。特許文献１に記載の火災感知器は、火災を検知して火災信号を火災受信機に送信する。火災受信機への火災信号の入力は、火災受信機で復旧操作（リセット）がされるまで、火災感知器の信号自己保持回路の機能により保持される。
【０００３】
特許文献１に記載されている火災感知器は、煙感知器である。火災感知器は、火災感知器自身の異常検出時には、異常検出信号を出力する。火災受信機は、異常検出信号が入力されたときには所定の警報動作をする。
【先行技術文献】
【特許文献】
【０００４】
【特許文献１】特開２００２−８１５４号公報
【発明の概要】
【発明が解決しようとする課題】
【０００５】
特許文献１に記載の火災感知器は、火災感知器自身の異常を検出していないときには、正常であることを火災受信機に通知することができない可能性がある。火災感知器が正常か否かを作業者が確認するためには、作業者が火災感知器の作動試験（加煙試験）を行う必要があった。
【０００６】
本発明は上記課題に鑑みてなされ、火災感知器が正常か否かを判定して通知可能なＰ型の防災システムを提供することを目的とする。
【課題を解決するための手段】
【０００７】
本発明の防災システムは、一対の電線に接続された火災受信機と、前記一対の電線に接続された複数の火災感知器と、を備える防災システムであって、前記火災受信機は、前記一対の電線間に電圧を印加する印加部と、前記一対の電線間の電圧を変化させて、第１識別情報を含む試験信号を送信する第１送信回路と、火災報を受信する第１受信回路と、表示部と、前記第１送信回路、前記第１受信回路及び前記表示部をそれぞれ制御する第１制御部と、前記第１制御部が前記試験信号を前記第１送信回路から送信させた時点から所定時間が経過する時点までの判定期間内に、前記火災報を受信したか否かを判定する判定部と、を有し、前記複数の火災感知器の各々は、火災の発生を検知する検知部と、前記一対の電線間の電圧を変化させて前記火災報を送信する第２送信回路と、前記試験信号を受信する第２受信回路と、前記検知部、前記第２送信回路及び前記第２受信回路を制御する第２制御部と、第２識別情報を保持する記憶部と、前記第２受信回路で受信した前記第１識別情報が前記第２識別情報と同じであるか否かを判断する判断部と、を有し、前記第２制御部は、前記検知部が火災の発生を検知した場合、及び、前記第１識別情報が前記第２識別情報であると前記判断部が判断した場合、前記火災報を前記第２送信回路から送信させ、前記第１制御部は、前記判定部が前記判定期間内に前記火災報を受信していないと判定した場合、異常を通知する情報を表示部に表示させることを特徴とする。
【発明の効果】
【０００８】
本発明は、火災感知器が正常か否かを判定して通知可能なＰ型の防災システムを実現することが可能である。
【図面の簡単な説明】
【０００９】
【図１】実施形態に係る防災システムの全体構成図である。
【図２】実施形態に係る防災システムの概略構成図である。
【図３】実施形態に係る防災システムの線間電圧を説明するグラフである。
【図４】実施形態に係る防災システムの火災受信機及び火災感知器が送受信する信号を説明する説明図である。
【発明を実施するための形態】
【００１０】
特許文献１に記載されているＰ型の防災システムでは、火災感知器が設置されている場所で作業者が作動試験（加煙試験）を行うことにより、火災感知器の動作確認を行う必要があった。加熱試験及び加煙試験などの作動試験では、作業者が、複数ある火災感知器を１つずつ動作確認するので、手間がかかる。本実施形態に係る防災システムは、Ｐ型でありながらも火災受信機が複数の火災感知器の各々についての正常動作を確認する試験（以下、「自動試験」と呼ぶ。）を行うことができるので、複数ある火災感知器の各々の動作確認をするための手間を少なくすることができる。
【００１１】
本実施形態に係る防災システムＡ１に関して説明する。防災システムＡ１の火災感知器２は、火災の発生を感知して火災受信機１に通知する。火災受信機１は、火災感知器２から火災の発生を通知されると、火災の発生を報知する報知動作を行う。
【００１２】
本実施形態に係る防災システムＡ１について図１、図２を参照して説明する。
【００１３】
以下の説明では、集合住宅６０（例えばマンション）に用いられる防災システムＡ１について説明するが、防災システムＡ１は、集合住宅に限らず、例えば商業施設、病院、ホテル、雑居ビルなどの適宜の建物で使用できる。
【００１４】
防災システムＡ１は、図１に示すように、１６台の火災感知器Ｂ１〜Ｂ１６と、１台の火災受信機１とを備える。防災システムＡ１では、火災感知器Ｂ１〜Ｂ１６と火災受信機１とは各々、一対の電線５１，５２に電気的に接続されている。以下の説明では、１６台の火災感知器Ｂ１〜Ｂ１６の各々を区別しないで説明する場合には「火災感知器２」として説明する。
【００１５】
火災感知器２は例えば、熱感知器、煙感知器、炎感知器などであり、火災発生を検知した場合、一対の電線５１，５２間の電圧を変化させて火災発生を報知する信号（以下、「火災報Ｄ１」と呼ぶ。）を送信する。火災感知器２は、火災受信機１に他装置７０を連動させるための通知（以下、「連動報」と呼ぶ。）を送信する。なお、火災感知器２が火災報Ｄ１又は連動報を送信する構成については後述する。
【００１６】
火災受信機１は、火災感知器２から送信された信号を受信し、その信号が火災報Ｄ１の場合に、火災受信機１に電気的に接続されている警報器を動作させて集合住宅６０の住人などに火災発生を報知する。
【００１７】
火災受信機１には、他装置７０が電気的に接続されている。火災受信機１は、連動報を火災感知器２から受信すると、他装置７０に制御用の信号を送信する。
【００１８】
他装置７０は例えば、防排煙設備、非常用放送設備、外部移報装置、及びスプリンクラーなどの消火設備である。防排煙設備は、防火扉や排煙設備などである。他装置７０は、火災受信機１からの制御用の信号に応じて動作する。外部移報装置は例えば、防災システムＡ１が設置された集合住宅６０の外部（例えば消防機関、警備会社など）へ通報する装置である。なお、他装置７０の動作は一例に過ぎず、適宜変更可能である。
【００１９】
防災システムＡ１は、１棟の集合住宅６０に対して、１６台の火災感知器２と、１台の火災受信機１とを備えている。集合住宅６０には、一対の電線５１，５２が４組設けられている。火災受信機１には４組の一対の電線５１，５２が接続されている。１組の一対の電線５１，５２には複数（４台）の火災感知器２が電気的に接続されている。火災受信機１と複数（１６台）の火災感知器２とは各々、一対の電線５１，５２に電気的に接続されて一対の電線５１，５２に信号を送信する。本実施形態に係る防災システムＡ１では、火災受信機１と火災感知器２とは各々、一対の電線５１，５２に流れる電流を引き込むことにより一対の電線５１，５２間の電圧Ｖ５を変化させて火災報Ｄ１、連動報及び通信用信号を送信する。
【００２０】
火災受信機１は、同期パルスを周期的に送信する。火災感知器２は、同期パルスを受信することにより、火災報Ｄ１、連動報及び通信用信号の送信タイミングと火災受信機１の受信タイミングとを同期させる。
【００２１】
火災受信機１及び火災感知器２の構成について図２を参照して説明する。なお、図２では、１台の火災感知器２が一対の電線５１，５２を介して１台の火災受信機１に接続されている状態を示し、他の火災感知器２及び他の一対の電線５１，５２の図示を省略している。
【００２２】
火災受信機１の構成について図２を参照して説明する。火災受信機１は、印加部１０３と、第１送信回路１１と、第１受信回路１２と、表示部１６と、判定部１３と、第１制御部１４と、を備える。火災受信機１は更に、操作部１０２と、第１記憶部１５と、選択部１７と、連動部１０１と、予備電源１０４とを備えている。
【００２３】
火災受信機１は、一例としてマイクロコンピュータを備えている。マイクロコンピュータは、マイクロコンピュータが有するメモリに記憶されたプログラムマイクロコンピュータが実行することにより、判定部１３と、判断部２７と、第１制御部１４と、選択部１７と、を実現している。マイクロコンピュータは、一例として、タイマ機能を有する。
【００２４】
第１記憶部１５は、複数の第１識別情報ＩＤ１を保持する。第１識別情報ＩＤ１とは、火災受信機１が、複数の火災感知器２のそれぞれを識別するための情報である。第１記憶部１５は、より詳細には、複数の火災感知器２のそれぞれに割り当てられた固有の第１識別情報ＩＤ１（例えばアドレス情報）を保持している。本実施形態の第１記憶部１５は、１６台分の火災感知器２の第１識別情報ＩＤ１を保持している。第１記憶部１５は、複数の火災感知器２のそれぞれに割り当てられた固有の第１識別情報ＩＤ１（１６台分の第１識別情報ＩＤ１）を保持している。
【００２５】
第１記憶部１５は、例えばＥＥＰＲＯＭ（Electrically Erasable Programmable Read-Only Memory）などの半導体メモリからなる。第１記憶部１５は、第１識別情報と、判定期間ＴＳ１と、異常を通知する情報と、部屋情報と、を保持する。
【００２６】
部屋情報は、複数の火災感知器２がそれぞれ設置された場所を示す情報である。部屋情報は、一例として、集合住宅６０の部屋番号である。
【００２７】
印加部１０３は、一対の電線５１，５２間に直流電圧（例えば２４Ｖ）を印加する。また印加部１０３は、一対の電線５１，５２に接続されている火災感知器２に動作用の電力も供給している。
【００２８】
一対の電線５１，５２のうち高電位側の電線５１と印加部１０３との間には抵抗１０５が接続されている。抵抗１０５は、一対の電線５１，５２に送信された電流信号を電圧信号に変換する第１の機能と、一対の電線５１，５２間が短絡したときに一対の電線５１，５２を流れる電流を制限する第２の機能との２つの機能を有している。
【００２９】
一対の電線５１，５２には各々、火災受信機１が接続されている端部と反対側の端部に終端抵抗８０が接続されている。
【００３０】
第１送信回路１１及び第１受信回路１２は、抵抗１０５の低電位側に接続されている電線５１と、電線５２との間に電気的に接続されている。
【００３１】
第１送信回路１１は、一対の電線５１，５２間の電圧Ｖ５を変化させて、一対の電線５１，５２に信号を送信する。より詳細には、第１送信回路１１は、印加部１０３から抵抗１０５に流れる電流を引き込む機能と、その電流の引き込みを停止する機能とを有する。第１送信回路１１が一対の電線５１，５２を流れる電流を引き込むと抵抗１０５を流れる電流の電流値が変化し、一対の電線５１，５２間の電圧が変化する。第１送信回路１１の動作は、第１制御部１４によって制御される。
【００３２】
第１送信回路１１は、一対の電線５１，５２間の電圧を変化させて試験信号ＤＴ１を送信する。試験信号ＤＴ１は、例えばパルス信号である。試験信号ＤＴ１は、火災受信機１が自動試験を行う際に火災感知器２に送信する信号である。「自動試験」とは、火災受信機１が、火災感知器２が正常であるか否かを確認する動作のことである。試験信号ＤＴ１は、自動試験を行うことを火災感知器２に通知する制御情報ＤＴ１１と、第１識別情報ＩＤ１とを含む。第１識別情報ＩＤ１は、火災受信機１が複数の火災感知器２のうちのどの火災感知器２に自動試験を行わせるかを指定するする情報である。第１識別情報ＩＤ１は、選択部１７が選択する。第１識別情報ＩＤ１によって指定された火災感知器２は、詳しくは後述するが、制御情報ＤＴ１１に応答する通信用信号を火災受信機１に送信する。
【００３３】
火災受信機１は、自動試験によって、全ての火災感知器２がそれぞれ正常に動作するか否かを確認する。
【００３４】
選択部１７は、第１記憶部１５が保持する複数の第１識別情報ＩＤ１から１つの第１識別情報ＩＤ１を選択する。より詳細には、選択部１７は、複数の第１識別情報ＩＤ１の中から１つの第１識別情報ＩＤ１を循環するように選択する。複数の火災感知器Ｂ１〜Ｂ１６に割り当てられた複数の第１識別情報ＩＤ１の各々は、第１識別情報ＩＤ１１〜ＩＤ２６である。選択部１７は、一例として、第１識別情報ＩＤ１１，ＩＤ１２，…ＩＤ２５，ＩＤ２６の順に選択する。つまり選択部１７は、複数の第１識別情報ＩＤ１の中で１つの第１識別情報ＩＤ１を循環するように選択することにより、複数の第１識別情報ＩＤ１のそれぞれを少なくとも１回選択する。言い換えると、選択部１７は、複数の第１識別情報ＩＤ１を一巡するように１つの第１識別情報ＩＤ１を選択する。なお、以下の説明では、第１識別情報ＩＤ１１，ＩＤ１２を図４に図示し、第１識別情報ＩＤ１３〜ＩＤ２６の図示を省略する。
【００３５】
第１受信回路１２は、火災感知器２が一対の電線５１，５２に送信した火災報Ｄ１と、連動報と、通信用信号と、をそれぞれ受信する。第１受信回路１２は、一例として、一対の電線５１，５２に流れる電流を検出する。第１受信回路１２は、一対の電線５１，５２に流れる電流を、第１制御部１４に入力可能な範囲の電圧レベルに変換して、第１制御部１４に出力する。
【００３６】
第１制御部１４は、第１受信回路１２の検出結果に基づいて、第１受信回路１２が受信した信号が、火災報Ｄ１、連動報、及び通信用信号の何れであるかを識別する。
【００３７】
連動部１０１は、他装置７０（図１参照）を連動させる信号を出力する。連動部１０１の動作は、第１制御部１４にて制御される。例えば第１制御部１４が火災報Ｄ１を識別すると、第１制御部１４は、火災報Ｄ１に応じて連動部１０１から他装置７０に火災信号を出力させる。第１制御部１４が連動報を識別すると、第１制御部１４は、連動報に応じて連動部１０１から他装置７０に連動信号を出力させる。
【００３８】
予備電源１０４は、例えば蓄電池などで構成されている。予備電源１０４は、停電時でも一定の時間、防災システムＡ１を動作させる容量の電力を有するように構成されている。火災受信機１は、通常は商用電源や自家発電設備などから供給される電力で動作するが、停電時には予備電源１０４の電力で動作するように構成されている。
【００３９】
表示部１６は、例えば液晶ディスプレイを備えている。表示部１６の動作は第１制御部１４によって制御される。第１制御部１４は、第１受信回路１２が受信した信号の内容（火災報Ｄ１、連動報及び通信用信号）に応じて表示部１６の表示内容を変えさせる。
【００４０】
表示部１６は、一例として、火災を検知した火災感知器２が設置されている場所（つまり発報場所）を、部屋名及び部屋番号で表示させることができる。部屋名及び部屋番号は、一例として、英数表示及びカタカナ表示である。言い換えると、表示部１６は、火災発生時に火災が発生した部屋情報を表示する。
【００４１】
判定部１３は、第１制御部１４が試験信号ＤＴ１を第１送信回路１１から送信させた時点から所定時間（例えば１秒）が経過する時点までの判定期間ＴＳ１内に、火災報Ｄ１を受信したか否かを判定する。判定部１３は、マイクロコンピュータのタイマ機能を用いて所定時間の経過時間を計測し、判定期間ＴＳ１に達したか否かを判定する。
【００４２】
第１制御部１４が試験信号ＤＴ１を第１送信回路１１から送信させた後の判定期間ＴＳ１内に、火災報Ｄ１を受信できるか否かを判定する。第１制御部１４は、判定部１３が判定期間ＴＳ１内に火災報Ｄ１を受信していないと判定した場合、異常を通知する情報を表示部１６に表示させる。より詳細には、第１制御部１４は、異常を通知する情報と、第１識別情報ＩＤ１との両方を表示部１６に表示させる。
【００４３】
異常を通知する情報とは、一例として、複数の火災感知器２のうち少なくとも１つの火災感知器２が正常であることを確認できなかった旨を通知する情報である。第１制御部１４は、異常を通知する情報と、第１識別情報ＩＤ１との両方を表示部１６に表示させる。言い換えると第１制御部１４は、複数の火災感知器２のうち、正常ではない１つの火災感知器２を特定して表示部１６に表示させることができる。
【００４４】
操作部１０２は、例えば押しボタンスイッチである。操作部１０２で操作された内容に応じて、第１制御部１４は、あらかじめ定められた制御動作を行う。操作部１０２は例えば、自動試験の開始及び終了、火災発生の報知動作の停止、及び火災感知器の異常検知動作の停止などの操作が行われると、操作内容に応じた信号を第１制御部１４に出力する。
【００４５】
次に、火災感知器２の構成について図２を参照して説明する。
【００４６】
火災感知器２は、検知部２６と、第２送信回路２１と、第２受信回路２２と、第２制御部２４と、第２記憶部２５（記憶部）と、判断部２７と、を備える。火災感知器２は更に、異常検出部２８と、伝送送信回路２３と、電源回路２０１と、報知部２０２と、ダイオードブリッジ２０３とを備える。
【００４７】
火災感知器２は、一例としてマイクロコンピュータを備えている。マイクロコンピュータは、マイクロコンピュータが有するメモリに記憶されたプログラムマイクロコンピュータが実行することにより、判断部２７と、第２制御部２４と、を実現している。マイクロコンピュータは、一例として、タイマ機能を有する。
【００４８】
ダイオードブリッジ２０３は、一対の電線５１，５２が電気的に接続される一対の入力端子と、一対の出力端子とを備える。ダイオードブリッジ２０３の出力端子には、電源回路２０１、第２送信回路２１、伝送送信回路２３及び第２受信回路２２が各々、電気的に接続されている。
【００４９】
第２記憶部２５は、例えばＥＥＰＲＯＭで構成されている。第２記憶部２５は、第１の閾値と、第１の閾値よりも大きい第２の閾値と、第１のサンプリング回数（例えば３回）と、第２のサンプリング回数（例えば３回）とを記憶している。なお、第２制御部２４が、第１の閾値と、第２の閾値と、第１のサンプリング回数と、第２のサンプリング回数とを用いて火災報Ｄ１又は連動報を送信させる動作については後述する。
【００５０】
第２記憶部２５は、第１電圧値Ｖ１と、第１電圧値Ｖ１よりも電圧値の高い第２電圧値Ｖ２と、第２電圧値Ｖ２よりも電圧値の高い第３電圧値Ｖ３と、第２識別情報ＩＤ２とを記憶している。
【００５１】
検知部２６は、一例として煙の濃度の変化と、温度の変化とを検出する。検知部２６は、発光素子及び受光素子と、サーミスタとを有する。検知部２６は、受光素子の光量に基づいて煙の濃度の変化を検知し、サーミスタの電気抵抗に基づいて温度の変化を検知する。検知部２６は、煙の濃度の変化と温度の変化とに基づいて火災の発生を検知すると、第２制御部２４に検知信号を送信する。
【００５２】
第２制御部２４は、第２送信回路２１と、第２受信回路２２と、伝送送信回路２３と、を制御する。第２制御部２４は、検知部２６と、第２記憶部２５と、報知部２０２とに各々電気的に接続されている。第２制御部２４は、検知部２６が火災の発生を検知すると、火災報Ｄ１を第２送信回路２１から送信させる。
【００５３】
第２送信回路２１は、一対の電線５１，５２に電気的に接続される。第２送信回路２１は、一対の電線５１，５２に流れる電流を引き込んで火災報Ｄ１を送信する。第２送信回路２１は、一対の電線５１，５２からの電流の引き込み量を、火災報Ｄ１の送信時の電流の引き込み量よりも多くすることにより連動報を送信する。
【００５４】
第２送信回路２１は、一対の電線５１，５２に流れる電流を引き込んで火災報Ｄ１を送信する。第２送信回路２１は、一対の電線５１，５２間を導通状態にして一対の電線５１，５２間の抵抗値を小さくすることより連動報を送信する。言い換えると、第２送信回路２１は、一対の電線５１，５２に流れる電流を、火災報Ｄ１の送信時よりも多く引き込んで連動報を送信する。第２送信回路２１は、一対の電線５１，５２に流れる電流を引き込む機能と、電流の引き込みを停止する機能とを有する。
【００５５】
第２制御部２４は、第２受信回路２２が受信した試験信号ＤＴ１に含まれる制御情報ＤＴ１１と第１識別情報ＩＤ１とを、第２受信回路２２から取得する。
【００５６】
判断部２７は、第２受信回路２２で受信した第１識別情報ＩＤ１と、第２識別情報ＩＤ２とが同じであるか否かを判断する。より詳細には、判断部２７は、第２受信回路２２で受信した第１識別情報ＩＤ１と、第２識別情報ＩＤ２とを比較して、第１識別情報ＩＤ１と第２識別情報ＩＤ２とが同じであるか否かを判断して、第２制御部２４に判断結果を出力する。
【００５７】
第２制御部２４は、検知部２６が火災の発生を検知した場合、及び、第１識別情報ＩＤ１が第２識別情報ＩＤ２であると判断部２７が判断した場合、火災報Ｄ１を第２送信回路２１から送信させる。
【００５８】
異常検出部２８は、検知部２６の異常を検出する。より詳細には、異常検出部２８は、検知部２６の導通状態に基づいて、検知部２６の電気的な異常を検出する。一例として、火災の発生を検出していない状態、かつ正常状態でサーミスタの電気抵抗が大きい検知部２６において、電気抵抗が規定値よりも小さくなっている場合、異常検出部２８は検知部２６が異常であると判断する。第２制御部２４は、検知部２６が異常を検知すると、受信した第１識別情報ＩＤ１が第２識別情報ＩＤ２と一致していても、火災報Ｄ１を第２送信回路２１から送信させない。
【００５９】
異常検出部２８は、検知部２６の状態に関する情報を検出することができる。異常検出部２８は、一例として、検知部２６の煙検出のセンサ部分の汚れ具合に関する情報を第２制御部に出力する。異常検出部２８は、他の例として、検知部２６のサーミスタの電気抵抗に関する情報を第２制御部に出力する。
【００６０】
伝送送信回路２３は、例えば印加部１０３から供給される電圧に伝送信号を重畳して送信する。伝送信号は、例えばベースバンド伝送方式の信号である。第２制御部２４は、伝送送信回路２３を制御する。第２制御部２４は、一例として、火災報Ｄ１が送信されている状態で通信用信号を伝送送信回路２３から送信させる。伝送送信回路２３については後述する。
【００６１】
電源回路２０１は、マイクロコンピュータ、第２送信回路２１、伝送送信回路２３、第２受信回路２２、検知部２６、第２記憶部２５及び報知部２０２をそれぞれ動作させるために必要な出力を供給する。
【００６２】
報知部２０２は、例えばブザーやＬＥＤなどを有し、周囲に火災の発生を報知するように構成されている。報知部２０２の動作は第２制御部２４によって制御される。
【００６３】
火災感知器２の第２送信回路２１が一対の電線５１，５２間の電圧Ｖ５を変化させる様子について、図３を参照して説明する。
【００６４】
図３に示す区間Ｔ０は、第２制御部２４が第２送信回路２１から一対の電線５１，５２に信号を送信させていない区間である。区間Ｔ０における一対の電線５１，５２の電圧Ｖ５（図２参照）の値は、電圧値Ｖ４である。電圧値Ｖ４は第３電圧値Ｖ３より大きい。
【００６５】
図３に示す区間Ｔ１は、第２制御部２４が第２送信回路２１から一対の電線５１，５２に火災報Ｄ１を送信させている区間である。より詳細には、第２送信回路２１は、一対の電線５１，５２間の電圧Ｖ５を、第２電圧値Ｖ２以上第３電圧値Ｖ３未満にして火災報Ｄ１を送信する。第２送信回路２１は、一対の電線５１，５２間の電圧を、第１電圧値Ｖ１以上第２電圧値Ｖ２未満にして連動報を送信する。
【００６６】
図３に示す区間Ｔ２は、第２制御部２４が第２送信回路２１から一対の電線５１，５２に連動報を送信させている区間である。第２送信回路２１は、一対の電線５１，５２間の電圧Ｖ５を、第１電圧値Ｖ１以上第２電圧値Ｖ２未満にして連動報を送信する。
【００６７】
次に、防災システムＡ１の自動試験について、図４を参照して説明する。図４は、自動試験において一対の電線５１，５２に送信される試験信号ＤＴ１と火災報Ｄ１との送信タイミングを示す。図４では、４つの期間Ｔ３〜Ｔ６における試験信号ＤＴ１と火災報Ｄ１とについて説明する。図４は、４つの期間Ｔ３〜Ｔ６が連続するように図示しているが、期間Ｔ３，Ｔ４の間と、期間Ｔ５，Ｔ６の間とのそれぞれに、ガード区間（火災受信機１及び火災感知器２が両方とも信号を送信しない区間）が設けられていてもよい。
【００６８】
図４では、火災受信機１が火災感知器Ｂ１，Ｂ２の各々について、正常に動作するか否かを判断する動作について説明する。以下の説明では、火災感知器Ｂ１が正常であり、火災感知器Ｂ２が異常である例を説明する。火災感知器Ｂ２の第２送信回路２１は、例えば、第２送信回路２１の回路の動作不良及び回路素子の経年劣化などにより、一対の電線５１，５２の電圧Ｖ５を第３電圧値Ｖ３未満にすることができなくなっている場合がある。
【００６９】
まず、自動試験における火災受信機１の動作について説明する。
【００７０】
選択部１７は、複数の第１識別情報ＩＤ１の中から１つの第１識別情報ＩＤ１（ＩＤ１１）を選択する。第１識別情報ＩＤ１（ＩＤ１１）は、火災感知器Ｂ１の第２記憶部２５に保持されている第２識別情報ＩＤ２と同じ情報である。第１制御部１４は、制御情報ＤＴ１１と、第１識別情報ＩＤ１（ＩＤ１１）とを含む試験信号ＤＴ１を、期間Ｔ３において第１送信回路１１から送信させる。
【００７１】
第１制御部１４が試験信号ＤＴ１を第１送信回路１１から送信させた後、判定部１３は、マイクロコンピュータのタイマ機能を用いて判定期間ＴＳ１の経過時間を計時する。図４では、期間Ｔ４，Ｔ６はそれぞれ、判定期間ＴＳ１と同じ長さの期間（１秒）である。言い換えると、判定部１３は、期間Ｔ４内に第１受信回路１２が火災報Ｄ１を受信できるか否かを判定する。
【００７２】
火災感知器Ｂ１の第２制御部２４は、第２受信回路２２から試験信号ＤＴ１に含まれる制御情報ＤＴ１１と、第１識別情報ＩＤ１（ＩＤ１１）とを取得する。第２制御部２４は、制御情報ＤＴ１１を取得すると、自動試験が行われることを認識する。火災感知器Ｂ１の判断部２７は、第２受信回路２２が受信した第１識別情報ＩＤ１（ＩＤ１１）と、第２記憶部２５に保持されている第２識別情報ＩＤ２と比較し、第１識別情報ＩＤ１（ＩＤ１１）と第２識別情報ＩＤ２とが同じであると判断する。
【００７３】
第２制御部２４は、第１識別情報ＩＤ１（ＩＤ１１）が第２識別情報ＩＤ２と同じであると判断部２７が判断すると、第２送信回路２１から火災報Ｄ１を送信させる。第２制御部２４は、自動試験が行われることを認識しているため、第２送信回路２１から火災報Ｄ１を送信させても、報知部２０２に報知動作を行わせない。つまり第２制御部２４は、自動試験において、検知部２６が火災の発生を検知した場合と同様に第２送信回路２１から火災報Ｄ１を送信させるが、火災の発生を報知させる動作を報知部２０２に行わせない。
【００７４】
第２制御部２４は、期間Ｔ４において、第２送信回路２１から火災報Ｄ１を送信させ、期間Ｔ４が終了する前に火災報Ｄ１を送信の送信を停止させる。
【００７５】
期間Ｔ４において、火災感知器Ｂ２の第２制御部２４は、第２受信回路２２から試験信号ＤＴ１を取得する。火災感知器Ｂ２の判断部２７は、第２受信回路２２が受信した第１識別情報ＩＤ１（ＩＤ１１）と、第２記憶部２５に保持されている第２識別情報ＩＤ２と比較する。火災感知器Ｂ２の判断部２７は、第１識別情報ＩＤ１（ＩＤ１１）が、火災感知器Ｂ２の第２記憶部２５に保持されている第２識別情報ＩＤ２と同じではないと判断する。その結果、期間Ｔ４において、火災感知器Ｂ２の第２制御部２４は、第２送信回路２１から火災報Ｄ１を送信させない。したがって、期間Ｔ４において送信される火災報Ｄ１は、火災感知器Ｂ１の第２送信回路２１から送信された火災報Ｄ１である。
【００７６】
火災受信機１の判定部１３は、期間Ｔ４内に第１受信回路１２が火災報Ｄ１を受信できる場合、火災感知器Ｂ１が火災報Ｄ１を送信したと判定する。判定部１３のこの判定結果に基づいて、第１制御部１４は、火災感知器Ｂ１が正常に動作することを確認することができる。
【００７７】
火災受信機１の選択部１７は、第１識別情報ＩＤ１（ＩＤ１１）の次に、第１識別情報ＩＤ１（ＩＤ１２）を選択する。第１識別情報ＩＤ１（ＩＤ１２）は、火災感知器Ｂ２の第２記憶部２５に保持されている第２識別情報ＩＤ２と同じ情報である。第１制御部１４は、期間Ｔ５において、制御情報ＤＴ１１と、第１識別情報ＩＤ１（ＩＤ１２）とを含む試験信号ＤＴ１を第１送信回路１１から送信させる。
【００７８】
第１制御部１４が試験信号ＤＴ１を第１送信回路１１から送信させた後、判定部１３は、期間Ｔ６内に第１受信回路１２が火災報Ｄ１を受信できるか否かを判定する。
【００７９】
火災感知器Ｂ２の第２制御部２４は、第２受信回路２２から試験信号ＤＴ１に含まれる制御情報ＤＴ１１と、第１識別情報ＩＤ１（ＩＤ１２）とを取得する。第２制御部２４は、制御情報ＤＴ１１を取得すると、自動試験が行われることを認識する。火災感知器Ｂ２の判断部２７は、第２受信回路２２が受信した第１識別情報ＩＤ１（ＩＤ１２）と、第２記憶部２５に保持されている第２識別情報ＩＤ２と比較し、第１識別情報ＩＤ１（ＩＤ１２）と第２識別情報ＩＤ２とが同じであると判断する。
【００８０】
第２制御部２４は、第１識別情報ＩＤ１（ＩＤ１２）が第２識別情報ＩＤ２であると判断部２７が判断すると、火災報Ｄ１を送信させるように第２送信回路２１を制御する。しかしながら、火災感知器Ｂ２の第２送信回路２１は、一対の電線５１，５２間の電圧Ｖ５を、第２電圧値Ｖ２以上第３電圧値Ｖ３未満にすることができない場合がある。
【００８１】
期間Ｔ６において、火災感知器Ｂ１の第２制御部２４は、第２受信回路２２から試験信号ＤＴ１を取得する。火災感知器Ｂ１の判断部２７は、第２受信回路２２が受信した第１識別情報ＩＤ１（ＩＤ１２）と、第２記憶部２５に保持されている第２識別情報ＩＤ２と比較する。火災感知器Ｂ１の判断部２７は、第１識別情報ＩＤ１（ＩＤ１２）が、火災感知器Ｂ１の第２記憶部２５に保持されている第２識別情報ＩＤ２と同じではないと判断する。その結果、期間Ｔ６において、火災感知器Ｂ１の第２制御部２４は、第２送信回路２１から火災報Ｄ１を送信させない。したがって、期間Ｔ６において火災報Ｄ１が送信されない。言い換えると、火災感知器Ｂ２の第２送信回路２１が期間Ｔ６において火災報Ｄ１を送信していないことになる。
【００８２】
判定部１３は、期間Ｔ６（判定期間ＴＳ１）内に第１受信回路１２が火災報Ｄ１を受信しなかったと判定する。第１制御部１４は、判定部１３のこの判定結果に基づいて、火災感知器Ｂ２が正常に動作しないことを確認することができる。第１制御部１４は、異常を通知する情報と、第１識別情報ＩＤ１との両方を表示部１６に表示させる。
【００８３】
選択部１７が複数の第１識別情報ＩＤ１（ＩＤ１１〜ＩＤ２６）の中から循環するように１つの第１識別情報ＩＤ１を順次選択する。第１制御部１４は、選択部１７が複数の第１識別情報ＩＤ１を一巡するように１つの第１識別情報ＩＤ１を選択するまで試験信号ＤＴ１を第１送信回路１１から送信させる。第１制御部１４は、複数の火災感知器２の各々について正常動作を確認することができる。したがって、防災システムＡ１の自動試験によって、複数の火災感知器２の全ての火災感知器２が正常であるか否かを第１制御部１４は確認することができる。
【００８４】
以上説明したように、防災システムＡ１は、一対の電線５１，５２に接続された火災受信機１と、一対の電線５１，５２に接続された複数の火災感知器２と、を備える。火災受信機１は、印加部１０３と、第１送信回路１１と、第１受信回路１２と、表示部１６と、第１制御部１４と、判定部１３と、を有する。印加部１０３は、一対の電線５１，５２間に電圧を印加する。第１送信回路１１は、一対の電線５１，５２間の電圧を変化させて、第１識別情報ＩＤ１を含む試験信号ＤＴ１を送信する。第１受信回路１２は、火災報Ｄ１を受信する。第１制御部１４は、第１送信回路１１、第１受信回路１２及び表示部１６をそれぞれ制御する。判定部１３は、第１制御部１４が試験信号ＤＴ１を第１送信回路１１から送信させた時点から所定時間（例えば１秒）が経過する時点までの判定期間ＴＳ１内に、火災報Ｄ１を受信したか否かを判定する。複数の火災感知器２の各々は、検知部２６と、第２送信回路２１と、第２受信回路２２と、第２制御部２４と、第２記憶部２５と、判断部２７と、を有する。検知部２６は、火災の発生を検知する。第２送信回路２１は、一対の電線５１，５２間の電圧を変化させて火災報Ｄ１を送信する。第２受信回路２２は、試験信号ＤＴ１を受信する。第２制御部２４は、検知部２６、第２送信回路２１及び第２受信回路２２を制御する。第２記憶部２５は、第２識別情報ＩＤ２を保持する。判断部２７は、第２受信回路２２で受信した第１識別情報ＩＤ１が第２識別情報ＩＤ２と同じであるか否かを判断する。第２制御部２４は、検知部２６が火災の発生を検知した場合、及び、第１識別情報ＩＤ１が第２識別情報ＩＤ２であると判断部２７が判断した場合、火災報Ｄ１を第２送信回路２１から送信させる。第１制御部１４は、判定部１３が判定期間ＴＳ１内に火災報Ｄ１を受信していないと判定した場合、異常を通知する情報を表示部１６に表示させる。
【００８５】
上記構成によれば、本実施形態の防災システムＡ１は、Ｐ型の防災システムを構成している。火災受信機１は、第１識別情報ＩＤ１によって、特定の第２識別情報ＩＤ２を第２記憶部２５に保持する火災感知器２に火災報Ｄ１を送信させることができる。火災感知器２は、試験信号ＤＴ１に含まれる第１識別情報ＩＤ１が第２識別情報ＩＤ２である場合、火災の発生を通知する火災報Ｄ１を送信する。火災受信機１は、第１識別情報ＩＤ１によって指定した火災感知器２から送信された火災報Ｄ１を受信できるか否かを、判定部１３で判定する。第１制御部１４は、判定部１３が判定期間ＴＳ１内に火災報Ｄ１を受信していないと判定した場合、異常を通知する情報を表示部１６に表示させる。したがって、火災受信機１は、第１識別情報ＩＤ１によって指定した火災感知器２が正常に火災報Ｄ１を送信できるか否かを判定して、正常か否かを表示部１６に表示させることができる。言い換えると、防災システムＡ１は、火災感知器２が正常か否かを判定して通知可能なＰ型の防災システムを実現することができる。
【００８６】
例えば、旧型のＰ型の防災システムから本実施形態に係る防災システムＡ１にリニューアルする際に、防災システムＡ１は、旧型のＰ型の防災システムで使用していた一対の電線をそのまま使用することができる。そのため、自動試験が可能な防災システムＡ１を導入する際の手間を減らすことができる。
【００８７】
第１制御部１４は、異常を通知する情報と、第１識別情報ＩＤ１との両方を表示部１６に表示させることが好ましい。
【００８８】
これにより、自動試験の試験結果の確認者は、表示部１６を見て、火災感知器２に異常があることを知ることができて、かつその火災感知器２が、複数の火災感知器２のうちのどの火災感知器２かを知ることができる。第１制御部１４は、第１識別情報ＩＤ１と関連する情報（部屋情報）を表示部１６に表示させるので、自動試験の試験結果の確認者は、異常のある火災感知器２が集合住宅６０のどの部屋に設置されているかを知ることができる。
【００８９】
複数の火災感知器２の各々は、検知部２６の異常を検出する異常検出部２８を更に備えることが好ましい。第２制御部２４は、第１識別情報ＩＤ１が第２識別情報ＩＤ２であると判断部２７が判断し、かつ異常検出部２８が検知部２６の異常を検出した場合、火災報Ｄ１を第２送信回路２１から送信させない。
【００９０】
上記構成によれば、第２制御部２４は、異常検出部２８が検知部２６の異常を検出している場合は、試験信号ＤＴ１に含まれる第１識別情報ＩＤ１が第２識別情報ＩＤ２であっても、火災の発生を通知する火災報Ｄ１を送信しない。したがって、火災感知器２は、第２送信回路２１が正常であっても、検知部２６に異常がある場合、試験信号ＤＴ１に含まれる第１識別情報ＩＤ１が第２識別情報ＩＤ２であっても、火災の発生を通知する火災報Ｄ１を送信しない。その結果、第１制御部１４は、異常を通知する情報を表示部１６に表示させることができる。自動試験の試験結果の確認者は、表示部１６を見ることにより、火災感知器２が正常ではないことを知ることができる。
【００９１】
火災受信機１は、第１識別情報ＩＤ１を複数保持する第１記憶部１５と、複数の第１識別情報ＩＤ１の中から循環するように１つの第１識別情報ＩＤ１を選択する選択部１７と、を更に備えることが好ましい。第１制御部１４は、選択部１７が選択した１つの第１識別情報ＩＤ１を含む試験信号ＤＴ１を第１送信回路１１から送信させる。第１制御部１４は、選択部１７が複数の第１識別情報ＩＤ１を一巡するように１つの第１識別情報ＩＤ１を選択するまで試験信号ＤＴ１を第１送信回路１１から送信させる。
【００９２】
これにより、判定部１３は、全ての火災感知器２の各々が正常であるか否かを判断することができる。したがって、火災受信機１は、全ての火災感知器２が正常であるか、少なくとも１つの火災感知器２に異常があるかを、自動試験の試験結果の確認者に通知することができる。
【００９３】
第２送信回路２１は、一対の電線５１，５２間の電圧を、第２電圧値Ｖ２以上第３電圧値Ｖ３未満にして火災報Ｄ１を送信し、一対の電線５１，５２間の電圧を、第１電圧値Ｖ１以上第２電圧値Ｖ２未満にして連動報を送信することが好ましい。第１受信回路１２は、一対の電線５１，５２に送信された火災報Ｄ１及び連動報を受信する。
【００９４】
上記構成によれば、一対の電線５１，５２間の電圧Ｖ５を変化させて火災報Ｄ１及び連動報を送信可能な防災システムＡ１の火災受信機１は、複数の火災感知器２の各々について正常であるか否かを判定して、判定結果を表示部１６にさせることができる。
【００９５】
ところで、火災感知器２は、通信用信号を送信可能に構成されていてもよい。通信用信号は、一例として、パルス信号である。より詳細には、火災感知器２は、一対の電線５１，５２間の電圧を変化させて通信用信号を送信する伝送送信回路２３を備えていてもよい。第２制御部２４は、火災報Ｄ１が送信されている状態で、通信用信号を伝送送信回路２３から送信させることができる。この場合、火災受信機１の第１受信回路１２は、通信用信号を受信することができるように構成される。
【００９６】
通信用信号は、試験信号ＤＴ１に応答する情報を含む。試験信号ＤＴ１に応答する情報とは、一例として、検知部２６の発光素子及び受光素子の汚れ具合に関する情報、及び検知部２６のサーミスタの電気抵抗に関する情報である。第１制御部１４は、第１受信回路１２から通信用信号を受信することにより、検知部２６の煙検出のセンサ部分の汚れ具合に関する情報、及び検知部２６のサーミスタの電気抵抗に関する情報を取得可能である。
【００９７】
第２制御部２４は、一例として、火災報Ｄ１が送信されている状態又は連動報が送信されている状態の何れの状態でも、一対の電線５１，５２に通信用信号を送信することができる。以下、第２制御部２４が第１送信回路から火災報Ｄ１を送信させ、更に伝送送信回路２３から通信用信号を送信させる場合について説明する。第２送信回路２１は、通信用信号のハイレベルの電圧値及びローレベルの電圧値の何れも、第２電圧値Ｖ２以上第３電圧値Ｖ３未満の電圧値となるように、一対の電線５１，５２間の電圧Ｖ５を変化させる。より詳細には、通信用信号のローレベルの電圧値は、火災報Ｄ１が送信されている状態における一対の電線５１，５２間の電圧値よりも低い。通信用信号のハイレベルの電圧値は、火災報Ｄ１が送信されている状態における一対の電線５１，５２間の電圧値とほぼ同じ電圧値である。第１制御部１４は、火災報Ｄ１に加えて、通信用信号が一対の電線５１，５２に送信されていることを識別することができる。なお、第２送信回路２１が、連動報に加えて通信用信号を送信する場合、通信用信号のローレベルの電圧値が、第１電圧値Ｖ１（動作下限電圧値）を下回らないような電圧値であればよい。
【００９８】
第２制御部２４は、例えば、自動試験において、判定期間ＴＳ１（図４に示す期間Ｔ４，Ｔ６）内に火災報Ｄ１と通信用信号とを送信させる。火災受信機１は、自動試験において火災感知器２から火災報Ｄ１と通信用信号とを両方受信することができる。
【００９９】
以上説明したように、火災感知器２は、一対の電線５１，５２間の電圧を変化させて通信用信号を送信する伝送送信回路２３を備えることが好ましい。第２制御部２４は、火災報Ｄ１が送信されている状態で試験信号ＤＴ１に応答する情報を含む通信用信号を伝送送信回路２３から送信させる。第１受信回路１２は、通信用信号を受信する。
【０１００】
上記構成によれば、火災受信機１は、自動試験によって、火災感知器２の正常な動作を確認することができて、さらに試験信号ＤＴ１に応答する情報を通信用信号から取得することができるようになる。火災受信機１は、一例として、検知部２６の受光素子の汚れ具合に関する情報、及び検知部２６のサーミスタの電気抵抗に関する情報を取得することができる。火災受信機１は、自動試験において、試験信号ＤＴ１に応答する情報を通信用信号から取得することができる。
【０１０１】
なお、第１制御部１４は、通信用信号に含まれる情報（試験信号ＤＴ１に応答する情報）を表示部１６に表示するように構成されていてもよい。火災受信機１は、通信用信号に含まれる情報を、自動試験の試験結果の確認者に通知することができる。自動試験の試験結果の確認者は、一例として、検知部２６の受光素子の汚れ具合に関する情報、及び検知部２６のサーミスタの電気抵抗に関する情報に基づいて、交換が推奨される火災感知器２を知ることができるようになる。
【０１０２】
ところで、第２送信回路２１は、火災報Ｄ１を送信すると、火災受信機１によって第２制御部２４がリセットされるか、又は第２制御部２４が火災報Ｄ１の送信を停止する動作を行うまで、火災報Ｄ１の送信状態を維持する。一例として、火災受信機１は、一対の電線５１，５２間の電圧Ｖ５第２制御部２４の動作下限電圧（第１電圧値Ｖ１）未満にし、その後、一対の電線５１，５２間の電圧Ｖ５を第２制御部２４の動作下限電圧以上にして第２制御部２４をリセットする。リセットされた第２制御部２４は、火災報Ｄ１及び連動報の送信を停止する。
【０１０３】
第２送信回路２１は、連動報の送信後は、第２送信制御部が連動報の送信を停止させるか、又はリセットされるまで、一対の電線５１，５２間の電圧Ｖ５を第１電圧値Ｖ１以上第２電圧値Ｖ２未満に維持する。
【０１０４】
表示部１６は、例えば有機エレクトロルミネッセンスディスプレイで構成されていてもよい。表示部１６は、ＬＥＤ（Light Emitting Diode）を用いた情報表示機能を有していてもよい。表示部１６は、例えば７セグメントのＬＥＤディスプレイで構成されていてもよい。表示部１６は他にも例えば、筐体の前面に文字列などが表記されていて、その筐体から露出するＬＥＤの点灯状態によって情報を表示するように構成されていてもよい。
【０１０５】
表示部１６が、タッチパネル方式のディスプレイである場合、ディスプレイが表示部１６及び操作部１０２を兼ねていてもよい。
【０１０６】
火災受信機１は、一例として、音響発生部（例えばスピーカなど）を備えている。第１制御部１４は、火災報Ｄ１を受信すると、火災の発生を知らせる音及び音声を音響発生部から発生させる。火災の発生を知らせる音及び音声は、一例として、火災の発生した階を知らせる情報を含む。
【０１０７】
火災受信機１は更に、外部のスピーカを増設できるように、スピーカ接続用の端子を備えている。また第１制御部１４は、火災の発生を知らせる音及び音声の他にも、一例として、操作部１０２を操作する作業者に、操作手順及び操作方法を知らせる音声ガイダンスをスピーカから発生させる。
【０１０８】
火災受信機１は、取得部を備えている。取得部は、一例として、メモリカードが接続されるスロットを有している。メモリカードは、一例として、フラッシュメモリなどの半導体メモリを有する記録媒体である。メモリカードは、一例として、設定情報を保持している。設定情報は、一例として、複数の火災感知器２のそれぞれの第１識別情報ＩＤ１と、複数の火災感知器２のそれぞれが設置されている階及び部屋情報（部屋名及び部屋番号）と、火災受信機１の各種設定情報と、を含む。取得部は、メモリカードが保持する設定情報を取得して、第１制御部に出力する。作業者は、メモリカードをスロットに接続して、火災受信機１の設定内容をリセットしたり、バックアップしたりすることができる。言い換えると、第１制御部は、メモリカードが保持する設定情報を取得することができるようになる。また第１制御部は、例えば第１記憶部１５に保持されている情報をメモリカードに出力することができる。これにより、作業者は、火災受信機１の設定内容の変更に関する手間を少なくすることができる。
【０１０９】
第１記憶部１５は、火災受信機１と火災感知器２との通信の内容を通信履歴情報として保持している。第１制御部１４は、操作部１０２で操作された操作内容に応じて、その通信履歴情報を表示部１６に表示させる。
【０１１０】
火災受信機１は、一例として、プリンタと接続されるプリンタ接続部を備えていてもよい。第１制御部１４は、通信履歴情報をプリンタ接続部からプリンタに送信させて、プリンタに通信履歴情報を印刷させる。
【０１１１】
第１受信回路１２と、第１送信回路１１と、表示部１６と、選択部１７とはそれぞれ、第１制御部１４に制御されることに限定されない。第１受信回路１２と、第１送信回路１１と、表示部１６と、選択部１７とはそれぞれ、火災受信機１のマイクロコンピュータとは別のマイクロコンピュータなどによって個別に制御されてもよい。
【０１１２】
第２送信回路２１と、第２受信回路２２と、検知部２６と、判断部２７と、異常検出部２８と、報知部２０２と、伝送送信回路２３とはそれぞれ第２制御部２４に制御されることに限定されない。第２送信回路２１と、第２受信回路２２と、検知部２６と、判断部２７と、異常検出部２８と、報知部２０２と、伝送送信回路２３とはそれぞれ、火災感知器２のマイクロコンピュータとは別のマイクロコンピュータなどによって個別に制御されてもよい。
【符号の説明】
【０１１３】
１  火災受信機
１１  第１送信回路
１２  第１受信回路
１３  判定部
１４  第１制御部
１６  表示部
１０３  印加部
２，Ｂ１〜Ｂ１６  火災感知器
２１  第２送信回路
２２  第２受信回路
２４  第２制御部
２５  第２記憶部（記憶部）
２６  検知部
２７  判断部
５１，５２  一対の電線
Ａ１  防災システム
Ｄ１  火災報
ＤＴ１  試験信号
ＩＤ１，ＩＤ１１，ＩＤ１２  第１識別情報
ＴＳ１  判定期間
【図１】
2017117358.tif 000003
【図２】
2017117358.tif 000004
【図３】
2017117358.tif 000005
【図４】
2017117358.tif 000006